(57)【要約】【課題】レーザ発光素子を収容する収容部を利用することなく、光学素子の光軸周りへの位置調整にともなうスペーサの位置ずれを未然に防止可能な光ヘッド装置を提供すること。【解決手段】スペーサ１３の底部側に開口した溝部１３１が形成されており、サブフレーム２２の長孔２２５の底面に形成された突起部２２７に係合して、光軸と直交する平面方向に位置保持されている。本形態では、溝部１３１を突起部２２７に係合するようにしてスペーサ１３を配置すると、溝部１３１内に突起２２７のほぼ全てが収納され、底部が長孔２２５の底面に当接するように形成されている。故に、板ばね５１０によりスペーサ１３を介して壁部２２５ｂに付勢状態で位置保持させた回折素子５１を光軸の周りに回転調整する際に、ツインレーザ光源４を収容する収容部を利用することなく、スペーサ１３の位置ずれを未然に防止することができる。【選択図】図１０
2007200480.tif 000002
【特許請求の範囲】
【請求項１】
レーザ発光素子と、信号検出用受光素子と、前記レーザ発光素子から光記録ディスクに向かう光路および前記光記録ディスクから前記信号検出用受光素子に向かう光路を構成する光学素子とが装置フレームに搭載された光ヘッド装置において、
前記装置フレームは、スペーサを介して前記光学素子を光軸方向へ位置保持させる位置保持面を有するとともに、前記光学素子の光軸方向に直交する方向の外壁が当接して光軸の周りに回転調整可能な凸部を有し、
前記スペーサは、光軸方向に直交する方向の外壁が、前記凸部と係合するとともに前記凸部のほぼ全てを収納する凹部を有し、
前記光学素子を前記スペーサを介して前記位置保持面に付勢状態で位置保持させる付勢部材を有することを特徴とする光ヘッド装置。
【請求項２】
請求項１において、前記スペーサは、中央に前記レーザ発光素子からの出射光が通過する貫通孔が形成されていることを特徴とする光ヘッド装置。
【請求項３】
請求項１または２において、前記フレームは、前記レーザ発光素子の出射方向の前方に前記光学素子が収納された長孔を有し、該長孔の底面に前記凸部が形成されていることを特徴とする光ヘッド装置。
【請求項４】
請求項３において、前記凸部は光軸方向に延設された一対の壁部を有し、前記スペーサは、前記凹部が、前記一対の壁部に係合して光軸と直交する平面方向に位置保持されるとともに、前記スペーサの光軸方向に直交する方向の外壁が前記底面に当接して光軸の周りへの回転が阻止されることを特徴とする光ヘッド装置。
【請求項５】
請求項３または４において、前記長孔は、前記光学素子の全てが充分収納できる深さに形成されたるとともに、前記長孔を構成する前記レーザ発光素子の出射方向に互いに離間した一対の壁部を有し、該一対の壁部のうち前記発光素子の出射方向前方の壁部に前記光学素子が固定されていることを特徴とする光ヘッド装置。
【請求項６】
請求項１ないし５において、前記レーザ発光素子は、放熱フィン上にレーザチップが搭載されたフレームタイプであることを特徴とする光ヘッド装置。
【発明の詳細な説明】
【技術分野】
【０００１】
本発明は、ＣＤやＤＶＤなどの光記録ディスクの再生等に用いられる光ヘッド装置に関
するものである。
【背景技術】
【０００２】
ＣＤ、ＤＶＤ等の記録媒体からの情報再生、情報記録を行うために用いられる光ピックアップ装置の光学系は、一般に、レーザー光源としてのレーザーダイオードと、レーザーダイオードから出射するレーザー光を回折するグレーテイングと、回折光を光記録媒体に集束させる対物レンズと、光記録媒体からの戻り光を対物レンズを介して受光する光検出器が、装置フレームに搭載されている。
【０００３】
各光学部品相互間の位置調整を行うことができるように、例えば、グレーティングは、装置フレームに対して、レーザー光の光軸方向に移動可能、且つ、光軸回りに回転可能な状態で取り付けられ、光軸方向の位置および回転位置を調整した後に、接着剤等によって装置フレームの側に固定されるようになっている。（例えば、特許文献１参照）
【特許文献１】特開２０００−２８５４９４号公報
【発明の開示】
【発明が解決しようとする課題】
【０００４】
特許文献１に示されたグレーティングの取り付け位置調整機構としては、装置フレームに形成された円筒状の収容部に、グレーティングが先端に取り付けられた円筒状ホルダが、コイルばねを挟んで配置されたレーザダイオードと同軸状態に配置されている。
【０００５】
ここで、グレーティングの光軸方向への位置調整は、円筒状ホルダ先端側と円筒状収容部の内壁との間にスペーサを挟むことにより調整される。一方、グレーティングの光軸周りへの位置調整は、円筒状ホルダを回転させることによりなされ、その際に、スペーサも円筒状ホルダとともに回転させられる。
【０００６】
特許文献１に示されたレーザダイオードは、円筒状のケースにレーザチップが収納されたキャンタイプのため、剛性の高い円筒状のケースを利用して装置フレームの円筒状収納部に圧入することができる。そのため、スペーサを円筒状収納部の内壁に沿って円形に形成することにより、この収納部の内壁を利用してスペーサの位置ずれを防止することが可能であるが、レーザチップが実装されたサブマウントが放熱フィンの上面に搭載されたフレームタイプの場合、放熱フィンの剛性が低いので収納部に圧入してフレームに搭載することができない。故に、フレームタイプを装置フレームに搭載する際にはキャンタイプで用いたような圧入用の収納部が用いられていないため、スペーサの位置ずれを収納部の内壁を利用して行うことができない。従って、グレーティングの光軸周りへの位置調整に際して、その構成上、グレーティングとともに回転されるスペーサの位置ずれを防止することができず、スペーサによりレーザダイオードからの出射光が遮蔽されるいう問題がある。
【０００７】
以上の問題点に鑑みて、本発明の課題は、レーザ発光素子を収容する収容部を利用することなく、光学素子の光軸周りへの位置調整にともなうスペーサの位置ずれを未然に防止可能な光ヘッド装置を提供することにある。
【課題を解決するための手段】
【０００８】
上記課題を解決するために、本発明では、レーザ発光素子と、信号検出用受光素子と、前記レーザ発光素子から光記録ディスクに向かう光路および前記光記録ディスクから前記信号検出用受光素子に向かう光路を構成する光学素子とが装置フレームに搭載された光ヘッド装置において、前記装置フレームは、スペーサを介して前記光学素子を光軸方向へ位置保持させる位置保持面を有するとともに、前記光学素子の光軸方向に直交する方向の外壁が当接して光軸の周りに回転調整可能な凸部を有し、前記スペーサは、光軸方向に直交する方向の外壁が、前記凸部と係合するとともに前記凸部のほぼ全てを収納する凹部を有し、前記光学素子を前記スペーサを介して前記位置保持面に付勢状態で位置保持させる付勢部材を有することを特徴とする。
【０００９】
本発明において、前記スペーサは、中央に前記レーザ発光素子からの出射光が通過する貫通孔が形成されていることが好ましい。
【００１０】
本発明において、前記フレームは、前記レーザ発光素子の出射方向の前方に前記光学素子が収納された長孔を有し、該長孔の底面に前記凸部が形成されていることが好ましい。
【００１１】
本発明において、前記凸部は光軸方向に延設された一対の壁部を有し、前記スペーサは、前記凹部が、前記一対の壁部に係合して光軸に直交する平面方向に位置保持されるとともに、前記スペーサの光軸方向に直交する方向の外壁が前記底面に当接して光軸の周りへの回転が阻止されることが好ましい。このように構成すると、スペーサの凹部を凸部の一対の壁部に係合するようにして組み込むことにより、スペーサの光軸に直交する平面方向の位置保持ができるので、光学素子の光軸周りへの位置調整にともなうスペーサの位置ずれを未然に防止することができる。
【００１２】
本発明において、前記長孔は、前記光学素子の全てが充分収納できる深さに形成されたるとともに、前記長孔を構成する前記レーザ発光素子の出射方向に互いに離間した一対の壁部を有し、該一対の壁部のうち前記発光素子の出射方向前方の壁部に前記光学素子が固定されていることが好ましい。このように構成すると、例えば、一対の壁部のうち、発光素子の出射方向後方の壁部と発光素子とを離間させることができ、この場合、光学素子に対し、レーザ発光素子で発生した熱の悪影響を抑制することができる
【００１３】
本発明において、前記レーザ発光素子は、放熱フィン上にレーザチップが搭載されたフレームタイプであることが好ましい。このように構成すると、フレームタイプはキャンタイプに比較して薄型なので光ヘッド装置の薄型化を図ることができる。また、例えば、フレームタイプの放熱フィンを装置フレーム状に載置して搭載する構成であって、キャンタイプで用いられるような圧入用の収納部がない構成であっても、スペーサの位置ずれを未然に防止することができる。
【発明の効果】
【００１４】
本発明において、スペーサは、光軸方向に直交する方向の外壁が、凸部と係合するとともに凸部のほぼ全てを収納する凹部を有している。故に、例えば、スペーサの凹部が形成された側の外壁を装置フレームの近傍に配設することにより、付勢部材によりスペーサを介して位置保持面に位置保持させた光学素子を光軸の周りに回転調整する際、凹部が形成された側の外壁が装置フレームに当接してスペーサの回転を阻止することができる。従って、レーザ発光素子を収容する収容部を利用することなく、スペーサの位置ずれを未然に防止することができる。
【発明を実施するための最良の形態】
【００１５】
図面を参照して、本発明を適用した光ヘッド装置の一例を説明する。なお、以下の説明
では、対物レンズが見える側を上面とし、その反対側を下面としてある。
【００１６】
［全体構成］
図１は、本発明を適用した光ヘッド装置の平面図である。図２（ａ）〜（ｅ）は各々、
図１に示す光ヘッド装置において、フレキシブル基板の一部を除去してその本体部分を拡
大した平面図、底面図、左側面図、右側面図およびＯ−Ｏ断面図である。図３（ａ）、
（ｂ）は各々、図１に示す光ヘッド装置の本体部分から上面カバー、下面カバーおよびア
クチュエータカバーを取り外した状態の平面図および底面図である。図４（ａ）〜（ｅ）
は各々、図３に示す状態からフレキシブル基板および対物レンズ駆動装置を取り外した状
態の平面図、底面図、左側面図、右側面図およびＮ−Ｎ断面図である。図５（ａ）〜（
ｄ）は各々、図４に示す状態からサブフレームを抜き出して示す平面図、底面図、Ｊ−Ｊ断面図およびＰ−Ｐ断面図である。
【００１７】
図１および図２に示すように、本発明を適用した光ヘッド装置１は、装置フレーム２の
両端の各々に、ディスク駆動装置の送りねじ軸やガイド軸が係合する第１の軸受部２１１
および第２の軸受部２１２が形成されており、光記録ディスクの半径方向に駆動されるよ
うになっている。装置フレーム２の一方側の側面は、ディスク駆動機構のスピンドルモー
タ（図示せず）に接近した際の干渉を防止するために円弧状に湾曲している。
【００１８】
装置フレーム２の上面側では略中央に対物レンズ９１が位置し、対物レンズ９１に対し
て第１の軸受部２１１が位置する側には、薄い金属板からなる上面カバー６が被せられて
いる。上面カバー６は、装置フレーム２の上面を覆う上板部６１と、この上板部６１の一
方の側端縁から下方に屈曲して装置フレーム２の側面に形成されている突起に係合する第
１の側板部６２と、上板部６１の他方の側端縁から下方に屈曲して装置フレーム２の側面
に形成されている突起に係合する第２の側板部６３とを備えている。
【００１９】
装置フレーム２の底面側には、薄い金属板からなる下面カバー８が被せられており、こ
の下面カバー８は、装置フレーム２の下面を覆う下板部８１と、この下板部８１の一方の
側端縁から上方に屈曲して装置フレーム２の側面に形成されている突起に係合する第１の
側板部８２と、他方の側端縁から上方に屈曲して装置フレーム２のスリット内に嵌って下
面カバー８を装置フレーム２に搭載された状態を保持する弾性力を発揮する第２の側板部
８３とを備えている。
【００２０】
装置フレーム２において、対物レンズ９１に対して第２の軸受部２１２が位置する側か
ら左側領域にかけては、薄い金属板からなるアクチュエータカバー７が被せられている。
【００２１】
図１および図２に示すフレキシブル基板３の本体部分は、図３に示すように、アクチュ
エータカバー７および上面カバー６の下側において装置フレーム２の上面を覆うように配
置されており、このフレキシブル基板３の下面には、後述するツインレーザ光源４などに
対する駆動や対物レンズ駆動機構９などに対する制御を行うための駆動用ＩＣ３０が実装
されている。また、フレキシブル基板３では、上面カバー６から第１の軸受部２１１の側
に向けて２本の端部３１、３２が延びており、これらの端部３１、３２に形成された配線
パターンは、後述する信号検出用受光素子５５に電気的に接続している。さらに、フレキ
シブル基板３は、後述するツインレーザ光源４およびモニター用の受光素子に配線パター
ンが電気的に接続された端部３３、３４も備えている。
【００２２】
ここで、装置フレーム２は、図６および図７を参照して後述するメインフレーム２１と
、図８および図９を参照して後述する金属製のサブフレーム２２とを備えており、サブフ
レーム２２は、メインフレーム２１の内側に配置された状態でメインフレーム２１に保持
されている。
【００２３】
図３、図４および図５に示すように、光ヘッド装置１は、波長が６５０ｎｍ帯の第１の
レーザ光（赤色光）、および波長が７８０ｎｍ帯の第２のレーザ光（赤外光）を用いて
ＤＶＤ系ディスクおよびＣＤ系ディスクに対する情報の記録、再生が可能な２波長光ヘッ
ド装置１であり、装置フレーム２上には、第１のレーザ光を出射するＡｌＧａＩｎＰ系の
レーザダイオードと、第２のレーザ光を出射するＡｌＧａＡｓ系のレーザダイオードとを
一体に備えたツインレーザ光源４が搭載されている。ここで、第１のレーザ光および第２
のレーザ光は、ツインレーザ光源４から光記録ディスクに向かう光路に配置された複数の
光学素子からなる共通の光学系を介して光記録ディスクであるＤＶＤ系ディスクあるいは
ＣＤ系ディスクに導かれ、この光学系を構成する光学素子も装置フレーム２上に搭載され
ている。また、光記録ディスクからの戻り光も、共通の光学系を介して共通の信号検出用
受光素子５５に導かれ、かかる戻り光に対する光路を規定する光学素子、および信号検出
用受光素子５５も装置フレーム２に搭載されている。
【００２４】
本形態の光ヘッド装置１において、共通の光学系には、光学素子としてのツインレーザ光源４から出射された第１および第２のレーザ光をトラッキング検出用に３ビームに回折する回折素子５１と、回折素子５１により３ビームに分離したレーザ光を部分反射するハーフミラー５２と、ハーフミラー５２からのレーザ光を平行光にするコリメートレンズ５３と、この平行光を光記録ディスクに向けて立ち上げる立ち上げミラー５９と、立ち上げミラー５９からのレーザ光を光記録ディスクの記録面に収束させる対物レンズ９１とが含まれている。また、共通の光学系には、光記録ディスクの記録面で反射された後に、コリメートレンズ５３およびハーフミラー５２を通過した第１および第２のレーザ光の戻り光に非点収差を付与するための光学素子としてのセンサーレンズ５４も含まれている。なお、ハーフミラー５２に対して回折素子５１とは反対側にはフロントモニター用受光素子５６が配置されている。
【００２５】
対物レンズ９１は、対物レンズ駆動機構９によってトラッキング方向およびフォーカシ
ング方向の位置がサーボ制御されるようになっており、このような対物レンズ駆動機構９
も装置フレーム２に搭載されている。本形態では、対物レンズ駆動機構９としてワイヤサ
スペンション方式のものを用いており、かかる対物レンズ駆動機構９としては周知のもの
を用いることができるので、詳細な説明を省略するが、対物レンズ９１を保持しているレ
ンズホルダと、このレンズホルダを複数本のワイヤでトラッキング方向およびフォーカシ
ング方向に移動可能に支持しているホルダ支持部と、装置フレーム２に固定されたヨーク
とを備えている。また、対物レンズ駆動機構９は、レンズホルダに取り付けられた駆動コ
イルと、ヨークに取り付けられた駆動マグネットにより構成される磁気駆動回路を備えて
おり、駆動コイルに対する通電を制御することにより、レンズホルダに保持された対物レ
ンズ９１を光記録ディスクに対してトラッキング方向およびフォーカシング方向に駆動す
る。なお、対物レンズ駆動機構９は、対物レンズ９１のジッタ方向の傾きを調整するチル
ト制御も可能である。
【００２６】
このように構成した光ヘッド装置１において、ツインレーザ光源４から出射された第１
および第２のレーザ光は、回折素子５１を透過した後、一部がハーフミラー５２の部分反
射面によって反射され、その光軸が９０度折り曲げられてコリメートレンズ５３に向かう
。そして、コリメートレンズ５３で平行光化されたレーザ光は、立ち上げミラー５９でそ
の光軸が９０度折り曲げられて対物レンズ９１に向かう。その際、ツインレーザ光源４か
ら出射された第１および第２のレーザ光の一部は、ハーフミラー５２の部分反射面を透過
して、モニター光としてフロントモニター用受光素子５６に導かれる。このフロントモニ
ター用受光素子５６でのモニター結果は、駆動用ＩＣを介してツインレーザ光源４にフィ
ードバックされ、ツインレーザ光源４から出射されるレーザ光の強度が制御される。
【００２７】
一方、光記録ディスクからの戻り光は、対物レンズ９１、立ち上げミラー５９を逆に戻
り、コリメートレンズ５３、ハーフミラー５２を介してセンサーレンズ５４に向けて出射
され、このセンサーレンズ５４によって非点収差が付与された後、信号検出用受光素子５
５に入射し、信号検出用受光素子５５で検出される。この信号検出用受光素子５５で検出
される戻り光には、第１および第２のレーザ光が回折素子５１で回折された３ビームが含
まれており、例えば、３ビームのうち、０次光からなるメインビームよって信号の再生が
行われるとともに、＋−１次回折光からなるサブビームの検出結果を用いて対物レンズ９１のトラッキングエラー信号やフォーカシングエラー信号の検出が行われる。このようにして検出されたトラッキングエラー信号やフォーカシングエラー信号の検出結果に基づいて、駆動用ＩＣは対物レンズ駆動機構９を制御する。
【００２８】
このように本形態では、共通の対物レンズ９１により第１のレーザ光および第２のレー
ザ光による記録、再生を行うため、対物レンズ９１については、同心円状の溝や段差によ
り回折格子が形成された２波長レンズが用いられている。このため、本形態によれば、対
物レンズ９１を共用しても、第１のレーザ光および第２のレーザ光の双方について、表面
保護層の厚さが異なる記録層を備えた光記録ディスクに対応することができる。
【００２９】
［各部材の詳細説明］
図６は、本発明を適用した光ヘッド装置に用いたメインフレームの斜視図である。図７
（ａ）〜（ｅ）は各々、図６に示すメインフレームの平面図、底面図、左側面図、右側面
図およびＭ−Ｍ断面図である。図８（ａ）、（ｂ）は各々、本発明を適用した光ヘッド
装置に用いたサブフレームを斜め上方からみたときの斜視図および斜め下方からみたと
きの斜視図である。図９（ａ）〜（ｆ）は各々、図８に示すサブフレームの平面図、底面
図、正面図、左側面図、右側面図およびＱ−Ｑ断面図である。図１０（ａ）〜（ｅ）は、本発明を適用した光ヘッド装置の回折素子周辺を拡大して斜め上方からみた斜視図、（ａ）から板ばねを除去した斜視図、（ｂ）からさらに回折素子を除去した斜視図、（ａ）のスペーサを取り出し拡大して示す拡大図および（ａ）の板ばねを取り出し拡大して示す拡大図である。
【００３０】
（装置フレーム２の構成）
本形態の光ヘッド装置１において、装置フレーム２は、図６および図７に示す樹脂製の
枠状部品からなるメインフレーム２１と、図８および図９に示す金属製のサブフレーム２
２とから構成されており、サブフレーム２２は、図２〜図４に示すように、メインフレー
ム２１の内側のサブフレーム搭載領域２１０に配置された状態でメインフレーム２１に保
持されている。図６および図７に示すように、メインフレーム２１の方には第１の軸受部
２１１および第２の軸受部２１２などが形成されている。図８および図９に示すサブフレ
ーム２２は、例えば、亜鉛合金ダイカスト品であり、図３に示すように、サブフレーム２
２をメインフレーム２１に搭載した状態で、装置フレーム２の内部は、サブフレーム２２
が配置された第１の光学素子設置部と、サブフレーム２２が配置されていない第２の光学
素子設置部とに区画される。
【００３１】
すなわち、本形態では、ツインレーザ光源４、回折素子５１、ハーフミラー５２、コリ
メートレンズ５３、センサーレンズ５４、信号検出用受光素子５５、およびモニター用受
光素子５６は、サブフレーム２２に搭載された状態でメインフレーム２１に搭載されてい
る。これに対して、立ち上げミラー５９は、メインフレーム２１に対して直接、搭載され
ている。また、対物レンズ９１を駆動するための対物レンズ駆動機構９は、ヨークがメイ
ンフレーム２１に固定されることにより、メインフレーム２１上に搭載されている。
【００３２】
以下、光ヘッド装置１に用いた各部品の構造を詳述する。まず、図６および図７に示す
メインフレーム２１は、両端部に第１の軸受部２１１および第２の軸受部２１２を備えて
いるとともに、メインフレーム２１の内側には、その長さ方向の中心から第１の軸受部２
１１の方に偏った位置にサブフレーム搭載領域２１０が形成されている。
【００３３】
メインフレーム２１において、サブフレーム搭載領域２１０を両側で挟む２箇所は、サ
ブフレーム２２に対する位置決め突起２１８、２１９を各々備えた第１のサブフレーム連
結領域２１３と第２のサブフレーム連結領域２１４になっており、第１のサブフレーム連
結領域２１３は、第１の軸受部２１１が位置する側で隣接する端部領域２１５の斜辺部の
端部から屈曲して延びる部分として形成されている。一方、第２のサブフレーム連結領域
２１４は、端部領域２１５の端部から円弧状の湾曲部分への切り換わる部分に形成されて
いる。
【００３４】
本形態においては、図６および図７（ａ）に示すように、第１のサブフレーム連結領域
２１３の幅寸法Ｗ１１、および第２のサブフレーム連結領域２１４の幅寸法Ｗ１２は、端
部領域２１５の幅寸法Ｗ２１より幅広に設定されている。すなわち、第１のサブフレーム
連結領域２１３は、全体が端部領域２１５と比較して幅広になっている。また、第２のサ
ブフレーム連結領域２１４において端部領域２１５に近い領域は、第１のサブフレーム連
結領域２１３と同等な幅広になっており、端部領域２１５と比較して幅広になっている。
【００３５】
また、第１のサブフレーム連結領域２１３および第２のサブフレーム連結領域２１４は
いずれも、端部領域２１５より厚さ寸法が薄く、端部領域２１５より低くなっている。従
って、メインフレーム２１において、第１のサブフレーム連結領域２１３と端部領域２１
５との境界領域２１６、２１７の上面、および第２のサブフレーム連結領域２１４と端部
領域２１５との境界領域２１６、２１７の上面にはそれらの厚さの差に相当する段差が形
成されているが、本形態では、２つの境界領域２１６、２１７の上面はいずれも、端部領
域２１５側から第１のサブフレーム連結領域２１３側および第２のサブフレーム連結領域
２１４側に向かって厚さ寸法が漸減するテーパ面になっている。
【００３６】
図８および図９に示すように、サブフレーム２２は略矩形の平面形状を備えており、上
面は全体として平坦に形成されている一方、下面側には各光学素子を位置決めするリブや
凹凸などが形成されている。また、サブフレーム２２では、上面側から左右両側に向けて
薄板状の第１の連結板部２２１と第２の連結板部２２２が延びている。ここで、第１の連
結板部２２１には、メインフレーム２１の位置決め突起２１８が嵌る長穴２２３が貫通穴
として形成され、第２の連結板部２２２には、メインフレーム２１の位置決め突起２１９
が嵌る丸穴２２４が貫通穴として形成されている。
【００３７】
従って、サブフレーム２２を、図１〜図４に示すように、メインフレーム２１に搭載す
るにあたっては、サブフレーム２２をメインフレーム２１のサブフレーム搭載領域２１０
に配置した状態で、第１の連結板部２２１をメインフレーム２１の第１のサブフレーム連
結領域２１３に重ね、第２の連結板部２２２をメインフレーム２１の第２のサブフレーム
連結領域２１４に重ねる。その結果、メインフレーム２１の位置決め突起２１８、２１９
は各々、第１の連結板部２２１の長穴２２３および第２の連結板部２２２の丸穴２２４に
嵌り、サブフレーム２２の位置決めが行われる。この状態で、第１のサブフレーム連結領
域２１３の外側端部、および第２のサブフレーム連結領域２１４の外側端部は、第１の連
結板部２２１の端縁および第２の連結板部２２２位の端縁よりも外側にはみ出しており、
第１のサブフレーム連結領域２１３および第２のサブフレーム連結領域２１４では、第１
の連結板部２２１の端縁および第２の連結板部２２２の端縁より段部２２８、２２９が形
成される。従って、段部２２８、２２９にＵＶ硬化型の接着剤を塗布した後、ＵＶ照射に
より接着剤を固化させれば、第１のサブフレーム連結領域２１３および第２のサブフレー
ム連結領域２１４に第１の連結板部２２１および第２の連結板部２２２が接着固定される
。その際、接着剤は、第１のサブフレーム連結領域２１３と第１の連結板部２２１との隙
間、および第２のサブフレーム連結領域２１４と第２の連結板部２２２との隙間にも入り
込んでいるので、第１のサブフレーム連結領域２１３および第２のサブフレーム連結領域
２１４と、第１の連結板部２２１および第２の連結板部２２２とは面接着状態となる。
【００３８】
（サブフレーム２２への各種光学素子の実装構造）
再び、図３〜図５において、サブフレーム２２には、中央領域にハーフミラー５２が接
着固定され、ハーフミラー５２の搭載位置の側方には回折素子５１が実装されている。こ
こで、回折素子５１は板ばね５１０により固定されている。
【００３９】
また、サブフレーム２２において、回折素子５１の搭載位置の側方にはツインレーザ光
源４が配置されている。ここで、ツインレーザ光源４は、筒状のケースにレーザチップ４
１が収納されたキャンタイプではなく、レーザチップ４１が実装されたサブマウント４３
が放熱フィン４４の上面に搭載されたフレームタイプのレーザ光源であり、放熱フィン４
４の両端部は、サブフレーム２２に接着剤で固定されている。なお、フレームタイプのレ
ーザ光源では、放熱フィン４４に対してレーザチップ４１が実装されたサブマウント４３
を囲むように樹脂部分４５がモールドされている。
【００４０】
ここで、ツインレーザ光源４は、レーザチップ４１が実装された上面を光ヘッド装置１
の上面に向けて配置され、放熱フィン４４の上面がサブフレーム２２の段部２２６に当接
し、上下方向の位置決めが行われている。
【００４１】
また、サブフレーム２２において、ツインレーザ光源４の前方位置には平面Ｅ型の金属
部品１２が接着固定されており、この金属部品１２の３つの突起１２１、１２２、１２３
のうちの中央の突起１２２は、放熱フィン４４の下面のうち、レーザチップ４１およびサ
ブマウント４３が搭載されている部分の裏面側に相当する位置に当接している。
【００４２】
ツインレーザ光源４の前方位置には、金属部品１２の両側の突起１２１、１２３が配設された前方まで連結され、回折素子５１が収納された長孔２２５が形成されている。この長孔２２５は、ツインレーザ光源４の出射光軸と直交し互いに対向する壁面２２５ａおよび２２５ｂを有し、その内部に回折素子５１の全てが充分収納できる深さに形成されている。壁面２２５ａおよび２２５ｂのうち、ツインレーザ光源４の出射方向後方の壁面２２５ａは、ツインレーザ光源４が搭載された側に配設され、この壁面２２５ａに対向したツインレーザ光源４の出射方向前方の壁面２２５ｂに、図１０（ａ）に示すようにして回折素子５１が、板ばね５１０により固定されている。すなわち、壁面２２５ｂが、回折素子５１を光軸方向に位置保持させる位置保持面になっている。
【００４３】
板ばね５１０は、図１０（ｅ）に示すように光軸方向の断面がＵ字状に形成されており、連結部５１４と、この連結部の両端から互いに平行に折曲された一対の折曲部５１３、５１５を有している。折曲部５１３は、壁面２２５ｂおよびこの壁面２２５ｂの反対側に位置する壁面２２５ｃとによって形成される壁部の壁面２２５ｃ側に当接しており、折曲部５１５は、回折素子５１の光軸方向の後方側に位置する面に当接している。この折曲部５１５には、ツインレーザ光源４の出射光が遮蔽されないように光軸の周囲を包囲するＵ字状のＵ字部５１２が形成され、その先端側が折曲部５１３と逆側に若干屈曲されている。本形態では、このように屈曲された根元に当たる頂部５１５ａが回折格子に当接し、回折素子５１をスペーサ１３を介して壁面２２５ｂに付勢状態で保持させている。なお、折曲部５１５の先端側は屈曲することにより広くなっているため、板ばね５１０をスムーズに装着させることができる。また、折曲部５１３の中央にもツインレーザ光源４の出射光が通過可能に貫通された貫通孔５１１が形成されている。
【００４４】
さらに、本形態では、図１０に示すように回折素子５１と壁部２２５ｂとの間に１枚のスペーサ１３が配置され、壁部２２５ｂへ回折素子５１とともに板ばね５１０により保持されている。このスペーサ１３は、回折格子５１の光軸上の位置の調整を行うものであり、例えば、壁部２２５ｂと回折素子５１との間に予め２５μｍのスペーサ１３を１つ先行投入させて回折素子５１とともに板ばね５１０により仮固定させておき、回折格子５１の光軸上の位置調整にともなって回折格子５１の光軸上の位置を前方に調整する必要が生じた場合には、スペーサ１３を引き抜くとともに、回折格子５１の光軸上の位置調整にともなって回折格子５１の光軸上の位置を後方に調整する必要が生じた場合には、２５μｍのスペーサ１３を、さらに１〜３枚程度追加させることにより回折格子５１の光軸上の位置の調整を行うようになっている。従って、本形態の場合、スペーサ１３が１枚配置されているが、回折格子５１の光軸上の位置調整に応じて、スペーサ１３が無いものから複数枚重ねて配置されたものまで様々なものがある。その後、スペーサ１３は、図５（ｄ）に示すように回折素子５１とともに接着剤１３０を用いて壁部２２５ｂへ接着固定される。
【００４５】
なお、スペーサ１３は、金属製であり、中央にはツインレーザ光源４の出射光が通過可能に貫通された貫通孔１３０が形成されている。また、貫通孔１３０の下方に光軸と直交する方向の外壁、すなわち、スペーサ１３の底部側の外壁に開口した凹部としての溝部１３１が形成されており、サブフレーム２２の長孔２２５の底面に形成された突起部２２７に係合して、光軸と直交する平面方向（図５（ｄ）に示すＸ−Ｘ方向）に位置保持されている。本形態では、この図５（ｄ）に示すように、溝部１３１を凸部としての突起部２２７に係合するようにしてスペーサ１３を配置すると、スペーサ１３の底部が長孔２２５の底面に当接するように形成されている。
【００４６】
本形態の突起部２２７は、長孔２２５の底面に上面の角がとれたかまぼこ状に形成されている。突起部２２７は、光軸方向に延設され、、出射方向の前方側にスペーサ１３の溝部１３１が係合する一方、出射方向の後方側に回折素子５１の光軸方向に直交する方向の外壁としての底面が当接して、回折素子５１を光軸を中心とした回転調整するための支点になっている。
【００４７】
このようにしてサブフレーム２２に搭載されたツインレーザ光源４は、後方に延びたリ
ードピン４２が光源実装基板４０に実装されており、この光源実装基板４０からは３本の
リード線１１が延びている。また、光源実装基板４０のグランドパターンにはグランド配
線１１１の一方端がハンダにより接続され、このグランド配線１１１の他方端はサブフレ
ーム２２にネジにより固定されている。
【００４８】
ここで、３本のリード線１１は、一方端が光源実装基板４０にハンダにより接続されて
いる一方、他方端はフレキシブル基板３の端部３３にハンダにより接続されている。
【００４９】
なお、サブフレーム２２において、ツインレーザ光源４が実装されている領域の上面に
は放熱シート１７が貼られている。
【００５０】
また、サブフレーム２２において、メインフレーム２１の第１の軸受部２１１が位置す
る側の端部には、開口が形成された突部２２６が形成されており、この突部２２６には、
信号検出用受光素子５５を支持する支持基板５７が接着固定されている。ここで、支持基
板５７は、長さ方向の中央に信号検出用受光素子５５が支持されている。また、支持基板
５７の左右両側の端部５７１、５７２は、突部２２６を両側から挟むように屈曲し、接着
剤により突部２２６に固定されている。このような構成を採用したため、本形態では、信
号検出用受光素子５５を配置するスペースが狭い場合でも、支持基板５７としてサイズの
大きなものを用いることができる。従って、支持基板５７は、放熱性が高く、かつ、熱容
量が大きいので、ツインレーザ光源４の発熱などに起因する信号検出用受光素子５５の温
度上昇を防止することができる。また、支持基板５７を接着した後、環境温度が変化した
際に、左右両側の接着剤の間で収縮あるいは膨張の度合いにアンバランスが発生したとき
でも信号検出用受光素子５５の位置や姿勢が大きく変動することがない。なお、突部２２
６の内側には外形が円筒状のセンサーレンズ５４が配置されている。
【００５１】
さらに、サブフレーム２２の他方の端部には略Ｕ字溝状の開口が形成されており、この
開口にコリメートレンズ５３が固定されている。
【００５２】
さらにまた、サブフレーム２２において、ハーフミラー５２の背後には、フレキシブル
基板３の端部が接続されたモニター用受光素子５６が実装されている。
【００５３】
［光ヘッド装置１の製造方法］
このように構成した光ヘッド装置１を組み立てる際には、まず、図５に示すように、サ
ブフレーム２２に対して、ツインレーザ光源４、回折素子５１、ハーフミラー５２、セン
サーレンズ５４、コリメートレンズ５３を搭載する。この段階では、信号検出用受光素子
５５やモニター用受光素子５６はサブフレーム２２に搭載しない。また、回折素子５１お
よびセンサーレンズ５４は各々、板ばね５１０、５４０で仮固定されているだけである。
【００５４】
また、この段階では、フレキシブル基板３も接続されていないが、本形態では、ツイン
レーザ光源４に対してはリード線１１が接続されている。このため、リード線１１から電
源供給を行って、例えば、ツインレーザ光源４のうち、ＤＶＤ用の第１のレーザチップを
点灯させ、コリメートレンズ５３から出射される第１のレーザ光を観察する。そして、コ
リメートレンズ５３から出射された光がコリメート光となるように、ツインレーザ光源４
の光軸上の位置を調整する。その際、ツインレーザ光源４については光軸に直交する位置
も調節する。次に、ＣＤ用の第２のレーザチップを点灯させて、コリメートレンズ５３か
ら出射される第２のレーザ光を観察し、ツインレーザ光源４の角度位置や回折素子５１の
位置を調節する。その後、ツインレーザ光源４を接着剤で固定する。
【００５５】
さらに、信号生成用受光素子をロボットなどで保持した状態で、ツインレーザ光源４か
ら第１のレーザ光および第２のレーザ光を出射させるとともに、コリメートレンズ５３か
ら出射された光を、光記録ディスクに代わる検査用ミラーで反射させ、その反射光が信号
検出用受光素子５５の所定位置にスポットを形成するように、信号生成用受光素子５５お
よびセンサーレンズ５４の位置調整を行う。このような位置調整を行った後、信号検出用
受光素子５５およびセンサーレンズ５４をサブフレーム２２に接着固定する。
【００５６】
このような調整をサブフレーム２２上で行った後、図４に示すように、立ち上げミラー
５９が搭載されたメインフレーム２１にサブフレーム２２を搭載する。この段階では、対
物レンズ駆動機構９はメインフレーム２１に搭載されていない。
【００５７】
サブフレーム２２のメインフレーム２１への搭載作業を行う際には、サブフレーム２２
の第１の連結板部２２１および第２の連結板部２２２を各々、メインフレーム２１の第１
のサブフレーム連結部２１３および第２のサブフレーム連結部２２４に重ね、第１の連結
板部２２１および第２の連結板部２２２に形成されている長穴２２３および丸穴２２４に
メインフレーム２１の位置決め突起２１８、２１９が嵌るように位置合わせを行う。また
、ツインレーザ光源４の第１のレーザチップ４１を点灯させ、立ち上げミラー５９からの
出射光を観察し、サブフレーム２２の傾きなどを調整する。
【００５８】
このような調整作業を行った後、第１のサブフレーム連結領域２１３および第２のサブ
フレーム連結領域２１４において、第１の連結板部２２１の端縁および第２の連結板部２
２２の端縁より形成された段部２２８、２２９にＵＶ硬化型の接着剤を塗布した後、ＵＶ
照射により接着剤を固化させ、第１のサブフレーム連結領域２１３および第２のサブフレ
ーム連結領域２１４に第１の連結板部２２１および第２の連結板部２２２を接着固定する
。その際、接着剤は、第１のサブフレーム連結領域２１３と第１の連結板部２２１との隙
間、および第２のサブフレーム連結領域２１４と第２の連結板部２２２との隙間にも入り
込んでいるので、第１のサブフレーム連結領域２１３および第２のサブフレーム連結領域
２１４と、第１の連結板部２２１および第２の連結板部２２２とは面接着状態となる。
【００５９】
次に、図３に示すように、メインフレーム２１に対物レンズ駆動機構９を搭載する。ま
た、駆動用ＩＣ３０が実装されたフレキシブル基板３を搭載する。そして、フレキシブル
基板３の端部３１、３２、３３、３４を信号検出用受光素子５５が実装された配線基板５
５０、ツインレーザ光源４が実装された光源実装基板４０、およびモニター用受光素子５
６に接続する。
【００６０】
次に、フレキシブル基板３との間に放熱シート１８を介在させた状態でアクチュエータ
カバー７を装置フレーム２に取り付ける。また、装置フレーム２の上面には上面カバー６
を取り付け、装置フレーム２の底面に下面カバー８を取り付ける。このようにして、光ヘ
ッド装置１が完成する。
【００６１】
［本形態の主な効果］
以上説明したように、本形態の光ヘッド装置１において、スペーサ１３の底部側に開口した溝部１３１が形成されており、サブフレーム２２の長孔２２５の底面に形成された突起部２２７に係合して、光軸と直交する平面方向（図５（ｄ）に示すＸ−Ｘ方向）に位置保持されている。本形態では、図５（ｄ）に示すように、溝部１３１を突起部２２７に係合するようにしてスペーサ１３を配置すると、溝部１３１内に突起２２７のほぼ全てが収納され、底部が長孔２２５の底面に当接するように形成されている。故に、板ばね５１０によりスペーサ１３を介して壁部２２５ｂに付勢状態で位置保持させた回折素子５１を光軸の周りに回転調整する際に、スペーサ１３の溝部１３１が形成されている底部側が長孔２２５の底面に当接してスペーサ１３の回転が阻止できるので、ツインレーザ光源４を収容する収容部を利用することなく、スペーサ１３の位置ずれを未然に防止することができる。
【００６２】
（その他の実施の形態）
なお、上述の実施の形態は、本発明の好適な実施の形態の例であるが、これに限定されるものではなく、本発明の主旨を逸脱しない範囲において、種種変形実施可能である。例えば、上記形態では、スペーサ１３のほぼ全ての底部が溝部１３１を除き長孔２２５の底面に当接するように形成されているが、図１１（ａ）に示すスペーサ１４０のように溝部１４２の周辺のみに形成された延設部１４１の底部を長孔２２５の底面に当接するように形成してもよいし、図１１（ｂ）に示すスペーサ１５０のようように底部の両端側のみに形成された延設部１５１の底部を長孔２２５の底面に当接するように形成してもよい。
【００６３】
また、上述の実施の形態では、レーザダイオードとしてフレームタイプを用いているが、キャンタイプであっても良い。この場合、キャンタイプのレーザダイオードにおける円筒状のケースを圧入する収納部を利用してスペーサの位置ずれ防止を行わない構造であってもスペーサの位置ずれを未然に防止することができる。
【図面の簡単な説明】
【００６４】
【図１】本発明を適用した光ヘッド装置の平面図である。
【図２】（ａ）〜（ｅ）は各々、図１に示す光ヘッド装置において、フレキシブル基板の一部を除去してその本体部分を拡大した平面図、底面図、左側面図、右側面図およびＯ−Ｏ断面図である。
【図３】（ａ）、（ｂ）は各々、図１に示す光ヘッド装置の本体部分から上面カバー、下面カバーおよびアクチュエータカバーを取り外した状態の平面図および底面図である。
【図４】（ａ）〜（ｅ）は各々、図３に示す状態からフレキシブル基板および対物レンズ駆動装置を取り外した状態の平面図、底面図、左側面図、右側面図およびＮ−Ｎ断面図である。
【図５】（ａ）〜（ｄ）は各々、図４に示す状態からサブフレームを抜き出して示す平面図、底面図、Ｊ−Ｊ断面図およびＰ−Ｐ断面図である。
【図６】図１に示す光ヘッド装置に用いたメインフレームの斜視図である。
【図７】（ａ）〜（ｅ）は各々、図６に示すメインフレームの平面図、底面図、左側面図、右側面図およびＭ−Ｍ断面図である。
【図８】（ａ）、（ｂ）は各々、図１に示す光ヘッド装置に用いたサブフレームを斜め上方からみたときの斜視図および斜め下方からみたときの斜視図である。
【図９】（ａ）〜（ｆ）は各々、図８に示すサブフレームの平面図、底面図、正面図、左側面図、右側面図およびＱ−Ｑ断面図である。
【図１０】（ａ）〜（ｅ）は、本発明を適用した光ヘッド装置の回折素子周辺を拡大して斜め上方からみた斜視図、（ａ）から板ばねを除去した斜視図、（ｂ）からさらに回折素子を除去した斜視図、（ａ）のスペーサを取り出し拡大して示す拡大図および（ａ）の板ばねを取り出し拡大して示す拡大図である。
【図１１】（ａ）〜（ｂ）は各々、本発明を適用したスペーサの変形例を示す斜視図である。
【符号の説明】
【００６５】
１  光ヘッド装置
２  装置フレーム
４  ツインレーザ光源（レーザ発光素子）
１３  スペーサ
２１  メインフレーム
２２  サブフレーム
４１  レーザチップ
５１  回折素子（光学素子）
５５  信号検出用受光素子
１３１  溝部（凹部）
２２５  長孔
２２５ｂ  壁面（位置保持面）
２２７  突起部（凸部）
５１０  板ばね（付勢部材）
【図１】
2007200480.tif 000003
【図２】
2007200480.tif 000004
【図３】
2007200480.tif 000005
【図４】
2007200480.tif 000006
【図５】
2007200480.tif 000007
【図６】
2007200480.tif 000008
【図７】
2007200480.tif 000009
【図８】
2007200480.tif 000010
【図９】
2007200480.tif 000011
【図１０】
2007200480.tif 000012
【図１１】
2007200480.tif 000013